(57)【要約】【課題】実際の風景をデジタル情報として、歪み無く高精細に、人の目に見た状態と同じように記録保存することを課題とする。【解決手段】本発明は、ラインカメラと風景の距離とでレンズの絞りを設定する絞り設定手段と、記録する風景の全幅を設定する全幅設定手段と、距離設定手段と全幅設定手段で設定された数値を用いて回転手段の副走査速度を設定する回転速度設定手段と、からなることを特徴とする。【選択図】図１
2010035165.tif 000002
【特許請求の範囲】
【請求項１】
１画面の撮影において一定のライン周期で１ライン分の撮影である主走査を繰り返すラインセンサと、被写体からの光を前記ラインセンサへ入射させる焦点距離の変更が可能な撮影レンズと、前記ラインセンサと撮影レンズを副走査方向に回転させる回転手段と、からなるラインカメラを用いて風景を撮影する方法であって、
前記ラインカメラと風景の距離とでレンズの絞りを設定する絞り設定手段と、
記録する風景の全幅を設定する全幅設定手段と、
前記距離設定手段と全幅設定手段で設定された数値を用いて前記回転手段の副走査速度を設定する回転速度設定手段と、
からなる風景を高精細に記録する撮影方法。
【請求項２】
前記風景を撮影した後の画像データに対して、浮動的ダイナミックレンジ補正を行うことを特徴とする、請求項１に記載の風景を高精細に記録する方法。
【発明の詳細な説明】
【技術分野】
【０００１】  本発明は、ラインセンサ（一次元イメージセンサ）を用いた風景を高精細に再現できる撮影方法に関する。詳しくは世界遺産や、絶景と称される風景、または普通の風景を、フォトマップ撮影（正確な写真を撮影した後コンピュータで画像解析を行い、精度の高い写真画像を得るもの）するために過去にはない、最高水準の撮影画像を提供する方法に関する。
【背景技術】
【０００２】  現在、デジタルカメラは、高精細カメラ、プロ向けデジタルカメラとしては、１０００万画素〜２０００万画素のＣＣＤセンサが用いられている。この仕様は、縦×横の画素数として約３０００×３０００画素、３０００×６０００画素を示すが、デジタルカメラはエリアＣＣＤセンサを使用しているため、実際は４画素（２×２のマトリックス状）を使って一つのエリアを記録している。よって、ＲＧＢフィルターを並べて、フルカラーデータを作成するため、実質の解像度については、１／２×１／２＝１／４相当の解像度になる。【０００３】  したがって、デジタルカメラの画素数が増え、高画質となったとしても、風景という大きな対象物（４ｍ〜１０ｍ大）を高精細デジタルカメラで撮影しても実物大以上のサイズで実現するだけの高精細画像は期待出来ず、実現することは困難である。【０００４】  このデジタルカメラを使ってワイドな景観画像を得る手法に関しては、ソフトウエアによるパノラマ合成画像を作成し、そのカメラの持つ最大限の解像度を保ち、広げていくことが周知の改善技術として広まっている。しかし、その処理はワイド方向（幅方向）のみで、他方向は本来のカメラの画素数に依存することになり、画素数が上がると、改善にはなるがその効果は不十分である。【０００５】  一方、他の撮影手法であるラインＣＣＤセンサカメラは、一般的にマシンビジョン（産業向け）の検査向けの用途が多く、高速に流れるラインを読取るカメラとして高精細より、リアルタイム（高速）性を望まれるため、通常、解像度はデジタルカメラ相当の仕様（１０００万画素〜２０００万画素）が一般的である。また、上述のデジタルカメラと同様に、ラインＣＣＤカメラもワイド方向はデジタルカメラより、リニアに改善できるが他方向は同様にその効果は不十分である。
【先行技術文献】
【特許文献】
【０００６】
【特許文献１】特開平１１−１３６５８４号公報
【０００７】  従来、ＣＣＤセンサなどの撮像素子を用いて周囲３６０度の画像を撮像して得たパノラマ画像を領域毎に切出して出力できるパノラマ撮像システムが提案されている【０００８】  この従来の発明においては、撮像したパノラマ画像から所定領域の画像を短時間で得ることができるが、パノラマ画像の全体を得ることはできず、尚且つ、高精細に歪み無く記録することができない。【０００９】  また、従来の撮影においては、露出の程度があわないと、画像が白色に飛んで階調性が無くなる、または、画像が黒つぶれにより階調性が損なわれることや、画像全体が暗くなったりすることもある。その場合は、撮影した画像についてデジタル画像処理を行い、全体の明るさを調整するため、時間をかけて画像を加工していた。
【発明の概要】
【発明が解決しようとする課題】
【００１０】  そこで、本発明は、主走査はスキャナの精度（３００ｄｐｉ〜４００ｄｐｉ（〜２００００画素）デジタルカメラでは７２ｄｐｉ、〜３０００画素）を保ち、副走査を回転軸とした撮影方法と、風景やレンズ面の歪を考慮したコントロールを加えた装置を提供して撮影することにより、実際の風景をデジタル情報として、歪み無く高精細に、人の目に見た状態と同じように記録保存することを課題とする。つまり、世界遺産等の風景を人の目で見たものと同じ大きさに再現した際に、違和感無く、高精細に再現することが可能な撮影手段を提供するものである。
【課題を解決するための手段】
【００１１】  本発明は、１画面の撮影において一定のライン周期で１ライン分の撮影である主走査を繰り返すラインセンサと、被写体からの光を前記ラインセンサへ入射させる焦点距離の変更が可能な撮影レンズと、ラインセンサと撮影レンズを副走査方向に回転させる回転手段と、からなるラインカメラを用いて風景を撮影する方法であって、ラインカメラと風景の距離とでレンズの絞りを設定する絞り設定手段と、記録する風景の全幅を設定する全幅設定手段と、距離設定手段と全幅設定手段で設定された数値を用いて回転手段の副走査速度を設定する回転速度設定手段と、からなることを特徴とする。【００１２】  また、本発明は風景を撮影した後の画像データに対して、浮動的ダイナミックレンジ補正を行うことを特徴とする【００１３】  図４（ａ）は、カメラ部２の回転で距離が変化することによるひずみとレンズのひずみの関係を示す図である。この（ａ）で示すように、回転ひずみとレンズひずみが大きいとトータルの画像ひずみは大きくなる。本発明によるフォトマップ撮影方法においては、図４（ｂ）で示すように、回転半径を大きくし、レンズの被写界深度を深く取る（絞りを大きく、距離を長くとる）設定にすることで、トータルの画像のひずみを小さくする手法を採用している。
【発明の効果】
【００１４】  本発明は、歪みが少なく、高精細な画像を得ることができる。また、風景を一度に撮影できることから、デジタルカメラで撮影された複数の画像をつなぎ合わせる場合より、より現物に近い画像を記録保存することが可能となる。更に、世界遺産等の絶景を人の目で見た状態と同じように高精細に記録保存が可能になる。【００１５】  本発明による風景の高精細撮影方法による発生するレンズと回転による画像ひずみは、実際の場所の正確な実測図を伴えば、画像処理ソフトにて正確にひずみ補正が可能である。もっとも重要なのは、高精細画像の提供である。本発明による風景の高精細撮影方法は、例えば、窓から見える巨大な風景を人の目で見たものと同じように高精細に、しかも、一度で撮影できることが可能となり、画期的手法である。【００１６】  また、後述する浮動的ダイナミックレンジ補正を行うことにより、より現実に近い画像を得ることができると共に、撮影後の複雑な画像処理の工程を低減することができる。
【図面の簡単な説明】
【００１７】
【図１】図１は風景撮影方法のための装置の全体図である。
【図２】図２は風景撮影方法の装置を配置するための配置図である。
【図３】図３は風景撮影方法の動作を説明する平面図である。
【図４】図４は本発明の作用を説明する平面図である。
【発明を実施するための形態】
【００１８】  図１を用いて風景の撮影方法を詳しく説明する。符号２は、画像の撮影において一定のライン周期で１ライン分の撮影である主走査を繰り返すラインセンサで構成されたカメラ部である。また、符号３は、被写体からの光をラインセンサへ入射させる焦点距離の変更が可能なレンズ部である。さらに、符号４は、カメラ部２とレンズ部３を副走査方向に回転させる回転機構部である。
【００１９】  上記回転機構部は、カメラ用の三脚５に設けられた雲台に固定され、コンパクトに持ち運び可能である。また、このレンズ部は通常のカメラマウントを使用しているため、レンズ交換が可能となっている。
【００２０】  また、符号６で示されるのは、コントローラー部である。このコントローラー部は、カメラ部２と回転機構部４と接続され、カメラ部２からの画像データを変換したり、回転機構部４の回転速度を制御したりする。
【００２１】  符号７で示されるのはパーソナルコンピュータ（以後ＰＣと略す）である。このＰＣ７は、コントローラー６から出力された画像をソフトウエアを用いて表示させたり、コントローラー６を制御する設定値を入力したりするために用いられる。
【００２２】  実際に風景Ａを撮影する方法を説明する。図２で示すように、カメラ部２を風景Ａの中央に来るように三脚５ごと配置する。次に、カメラ部２と風景Ａの距離を測定し、ＰＣ７を用いてコントローラー６に数値を入力する。
【００２３】  次に、風景Ａの長さを、ＰＣ７を用いてコントローラー６に入力する。更に、使用するカメラレンズに応じたレンズ補正値を、ＰＣ７を用いてコントローラー６に入力する。
【００２４】  次に、撮影する風景Ａの明るさを露出計で測定し、レンズ部３の撮影レンズの絞り値を決定する。その際、絞り値は、風景Ａの全幅を考慮して、被写界深度が高くなるように設定する。その撮影レンズの絞り値もＰＣ７を用いてコントローラー６に入力する。
【００２５】  すべての設定が終了したなら、撮影を開始する。図３で示すように、カメラ部２がゆっくりと副走査方向に回転していき、風景Ａの全体を一度に撮影する。撮影された画像は、コントローラー６を介してＰＣ７に入力され、ＰＣ７内のソフトウエアにて画像が記録保存されることになる。
【００２６】  その撮影の際、ＰＣ７は、内蔵したソフトウエアにて風景Ａの大きさとカメラ部２との距離、撮影レンズの歪、風景Ａの明るさを考慮して回転機構部４の回転速度を計算する。詳しくは、ＰＣ７にて風景Ａとカメラ部２の距離や、撮影レンズのゆがみ、風景Ａの明るさに応じて回転速度を変化させることで、風景Ａの撮影画像のひずみを無くようにしている。その計算結果をコントローラー６に入力して、回転機構部４を制御している。
【００２７】  また、風景を撮影した後の画像データに対して、浮動的ダイナミックレンジ補正を行うことで、より現実に近い画像を得ている。
【００２８】  浮動的ダイナミック補正の一例は、画像の露出飽和防止である。たとえば、撮影したい画像について一度プレ撮影を行うことで、画像全体の露出の程度を測定し、一番明るい箇所が露出オーバーにならないように、露出の数値を決定し、本撮影を行う方法である。
【００２９】  他の一例は、レンズ部３のレンズに、半透明の白い紙を被せて、撮影したい画像について一度プレ撮影を行うことで、全体の画像の濃度分布を取得し、分布補正を行って露出の数値を決定し、本撮影を行う方法である。
【００３０】  また、他の一例は、撮影した画像について、画像データの１ラインごとの明るさについての上限・下限のピークに追従しながら、最初に設定した閾値以上にならないよう補正を行う方法である。
【産業上の利用可能性】
【００３１】  本発明は、窓から見える巨大な風景を人の目で見たものと同じように高精細に、しかも、一度で記録保存することに利用可能である。
【符号の説明】
【００３２】１  風景撮影方法のための装置
２  カメラ部
３  レンズ部
４  回転機構部
５  三脚部
６  コントローラー部
７  パーソナルコンピュータ
【図１】
2010035165.tif 000003
【図２】
2010035165.tif 000004
【図３】
2010035165.tif 000005
【図４】
2010035165.tif 000006